(57)【特許請求の範囲】
【請求項１】
配線ダクトレールに対する取付面を有し、電源回路を収納する電源ボックスと、
前記電源ボックスの長手方向の一端部に設けられ、前記取付面を前記配線ダクトレールに着脱可能に取り付ける第１の取付部と、
前記電源ボックスの長手方向の他端部に設けられ、前記取付面を前記配線ダクトレールに着脱可能に取り付ける第２の取付部と、
前記電源ボックスに連結され、前記電源回路から電力が供給されるＬＥＤ照明灯とを備え、
前記第１の取付部は、前記電源ボックスの一方の側面と、該一方の側面とは反対側の他方の側面との間を操作側端部が移動可能な第１のレバーと、前記第１のレバーと連動して前記配線ダクトレールのレール溝に係合する状態と係合しない状態とを取り得る第１の係合部と、を有し、
前記第２の取付部は、前記電源ボックスの一方の側面と前記他方の側面との間を操作側端部が移動可能な第２のレバーと、前記第２のレバーと連動して前記レール溝に係合する状態と係合しない状態とを取り得る第２の係合部と、を有し、
前記第１のレバー及び前記第２のレバーの各操作側端部が前記電源ボックスの一方の側面の側に位置すると、前記第１の係合部及び前記第２の係合部がそれぞれ前記係合する状態になることを特徴とするＬＥＤ照明器具。
【請求項２】
前記第１のレバー及び前記第２のレバーは、前記取付面に直交する軸まわりに所定角度範囲でそれぞれ回転可能であり、
前記第１の係合部は、前記第１のレバーを時計まわりに可動範囲の端部まで動かすと前記係合する状態となり、
前記第２の係合部は、前記第２のレバーを反時計まわりに可動範囲の端部まで動かすと前記係合する状態となることを特徴とする請求項１に記載のＬＥＤ照明器具。
【請求項３】
前記第１の取付部は、前記第１のレバーの可動範囲を前記電源ボックスの長手方向に沿う中心軸を挟んで左右に同じ角度範囲に規制する第１の規制部材を有し、
前記第２の取付部は、前記第２のレバーの可動範囲を前記中心軸を挟んで左右に同じ角度範囲に規制する第２の規制部材を有し、
前記第１の規制部材と第２の規制部材は同一の形状で、且つ同一大きさを有することを特徴とする請求項２に記載のＬＥＤ照明器具。
【請求項４】
前記取付面のうちの前記一端部と前記他端部との間に設けられ、前記取付面を前記配線ダクトレールに着脱可能に取り付ける第３の取付部をさらに備えることを特徴とする請求項１から請求項３の何れか一項に記載のＬＥＤ照明器具。
【請求項５】
前記第３の取付部は、前記取付面に直交する軸まわりに所定角度範囲で回転可能な第３のレバーと、前記第３のレバーと連動して前記レール溝に係合する状態と係合しない状態とを取り得る第３の係合部と、を有することを特徴とする請求項４に記載のＬＥＤ照明器具。
【請求項６】
前記第１のレバー、前記第２のレバー及び前記第３のレバーの各操作側端部は、平面視で前記電源ボックスの外側に位置することを特徴とする請求項５に記載のＬＥＤ照明器具。
【請求項７】
前記第３のレバーの操作側端部は、前記電源ボックスの前記他方の側面の側に位置することを特徴とする請求項５又は請求項６に記載のＬＥＤ照明器具。
【請求項８】
前記第３のレバーの操作側端部は、前記電源ボックスの前記一方の側面の側に位置することを特徴とする請求項５又は請求項６に記載のＬＥＤ照明器具。
【請求項９】
前記第３の取付部を複数備えることを特徴とする請求項４から請求項８の何れか一項に記載のＬＥＤ照明器具。
【請求項１０】
前記ＬＥＤ照明灯を複数備えることを特徴とする請求項１から請求項９の何れか一項に記載のＬＥＤ照明器具。
【請求項１１】
前記複数のＬＥＤ照明灯は互いに直列に前記電源回路に接続されていることを特徴とする請求項１０に記載のＬＥＤ照明器具。
【請求項１２】
前記複数のＬＥＤ照明灯の各々は連結アームを介して前記電源ボックスに連結されていることを特徴とする請求項１０又は請求項１１に記載のＬＥＤ照明器具。
【請求項１３】
前記複数のＬＥＤ照明灯のうちの２つ以上のＬＥＤ照明灯は１つの連結アームを介して前記電源ボックスに接続されていることを特徴とする請求項１０から請求項１２の何れか一項に記載のＬＥＤ照明器具。
【請求項１４】
前記複数のＬＥＤ照明灯のうちの第１のＬＥＤ照明灯と第２のＬＥＤ照明灯は、色温度が互いに異なることを特徴とする請求項１０から請求項１３の何れか一項に記載のＬＥＤ照明器具。
【請求項１５】
前記複数のＬＥＤ照明灯のうちの第１のＬＥＤ照明灯と第２のＬＥＤ照明灯は、配光角が互いに異なることを特徴とする請求項１０から請求項１４の何れか一項に記載のＬＥＤ照明器具。
【請求項１６】
前記第１の取付部及び前記第２の取付部の何れか一方のみが、前記配線ダクトレールと電気的に接続する端子を有することを特徴とする請求項１から請求項１５の何れか一項に記載のＬＥＤ照明器具。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）照明器具に関する。
【背景技術】
【０００２】
この種の従来技術としては、例えば特許文献１に開示されたものがある。即ち、特許文献１には、天井面に設置される配線ダクトレールに取り付けるための、ダクトレール用照明器具が開示されている。この照明器具は、内部に電源回路を有する器具本体（電源収納部）と、アーム等を介して器具本体に取り付けられた灯具部と、を備える。灯具部の光源はＬＥＤなどである。また、この照明器具は、器具本体の一方の端部に、配線ダクトレールに着脱自在に取り付けられるダクトプラグを備える。このダクトプラグが配線ダクトレールの開口溝に取り付けられる。
【先行技術文献】
【特許文献】
【０００３】
【特許文献１】特開２０１２−２０４１４０号公報
【発明の概要】
【発明が解決しようとする課題】
【０００４】
特許文献１に開示された照明器具は、器具本体の一方の端部に設けられたダクトプラグが配線ダクトレールの開口溝に取り付けられる。ダクトプラグによる支持箇所は、器具本体の一方の端部のみであるため、一つの器具本体に複数の灯具部を設けたり、灯具部を大型化したりするなど、照明器具の重量が増加した場合は、一方の端部に設けられたダクトプラグのみでは照明器具を十分に支えることができない可能性があった。この可能性を考慮し、器具本体の一方の端部と他方の端部とに（即ち、両端部に）それぞれダクトプラグを設けることが考えられる。これにより、一つのダクトプラグが支持する重量を減らすことができるので、照明器具の重量増化に対応することが可能となる。
【０００５】
器具本体の両端部にそれぞれダクトプラグを設けた照明器具を、配線ダクトレールに取り付ける取付作業では、各ダクトプラグを配線ダクトレールにそれぞれ固定（ロック）する。このロック操作は、ダクトプラグに繋がるレバーを使用者（ユーザー）が回転させることにより行うが、ユーザーがロック操作を忘れたり、ロック操作をした場合でもレバーの回転量が不足の場合は、ダクトプラグはロック状態とはならず、非ロック状態のままとなる。
【０００６】
このため、上記の取付作業では、器具本体の両端部のダクトプラグのうち、一方のダクトプラグをロック状態とし、他方のダクトプラグは意図せず非ロック状態のまま、取付作業を終了してしまう可能性がある。この場合、照明器具は配線ダクトレールに取り付けられるものの、ダクトプラグによる支持箇所は器具本体の一方の端部のみである。照明器具に予期しない振動、衝撃等が加えられると、一方の端部のダクトプラグのみでは照明器具を支えきれず、照明器具が配線ダクトレールから脱落する可能性もある。
【０００７】
また、ダクトプラグは、配線ダクトレール内の導電部と器具本体の電源回路とを電気的に接続するための端子を有する。ここで、端子を有するダクトプラグが非ロック状態の場合、端子は配線ダクトレール内の導電部と接触していない可能性がある。端子が導電部と非接触の場合、配線ダクトレールから器具本体の電源回路に電力が供給されないため、灯具部の光源が発光しないなどの発光不良が生じる。発光不良が生じた場合、ユーザーは、その原因を特定するために、配線ダクトレールに対する照明器具の取付状態を確認する必要がある。
【０００８】
このように、器具本体の両端部にそれぞれダクトプラグを有する照明器具を用いる場合、ユーザーは、配線ダクトレールに対する照明器具の取付状態に関して、任意のタイミングでその確認が必要となる場合がある。しかしながら、配線ダクトレールは部屋の天井面や天井面に近い壁面など、脚立を用いないと手が届かないような高所に設置されている場合が多いため、その確認作業は労力を要する（即ち、容易ではない）という課題があった。
【０００９】
そこで、この発明はこのような事情に鑑みてなされたものであって、配線ダクトレールに対する照明器具の取付状態を容易に確認可能なＬＥＤ照明器具の提供を目的とする。
【課題を解決するための手段】
【００１０】
上記課題を解決するために、本発明の一態様に係るＬＥＤ照明器具は、配線ダクトレールに対する取付面を有し、電源回路を収納する電源ボックスと、前記電源ボックスの長手方向の一端部に設けられ、前記取付面を前記配線ダクトレールに着脱可能に取り付ける第１の取付部と、前記電源ボックスの長手方向の他端部に設けられ、前記取付面を前記配線ダクトレールに着脱可能に取り付ける第２の取付部と、前記電源ボックスに連結され、前記電源回路から電力が供給されるＬＥＤ照明灯とを備え、前記第１の取付部は、前記取付面に直交する軸まわりに所定角度範囲で回転可能な第１のレバーと、前記第１のレバーと連動して前記配線ダクトレールのレール溝に係合する状態と係合しない状態とを取り得る第１の係合部と、を有し、前記第２の取付部は、前記取付面に直交する軸まわりに所定角度範囲で回転可能な第２のレバーと、前記第２のレバーと連動して前記レール溝に係合する状態と係合しない状態とを取り得る第２の係合部と、を有し、前記第１の係合部は、前記第１のレバーを時計まわりに可動範囲の端部まで動かすと前記係合する状態となり、前記第２の係合部は、前記第２のレバーを反時計まわりに可動範囲の端部まで動かすと前記係合する状態となり、前記第１の係合部及び前記第２の係合部がそれぞれ前記係合する状態になると、前記第１のレバー及び前記第２のレバーの各操作側端部は前記電源ボックスの一方の側面の側に位置することを特徴とする。ここで、直交とは、略直交を含む。
【００１１】
また、上記のＬＥＤ照明器具において、前記第１の取付部は、前記第１のレバーの可動範囲を前記電源ボックスの長手方向に沿う中心軸を挟んで左右に同じ角度範囲に規制する第１の規制部材を有し、前記第２の取付部は、前記第２のレバーの可動範囲を前記中心軸を挟んで左右に同じ角度範囲に規制する第２の規制部材を有し、前記第１の規制部材と第２の規制部材は同一の形状で、且つ同一大きさを有することを特徴としてもよい。
【００１２】
また、上記のＬＥＤ照明器具において、前記取付面のうちの前記一端部と前記他端部との間に設けられ、前記取付面を前記配線ダクトレールに着脱可能に取り付ける第３の取付部をさらに備えることを特徴としてもよい。
また、上記のＬＥＤ照明器具において、前記第３の取付部は、前記取付面に直交する軸まわりに所定角度範囲で回転可能な第３のレバーと、前記第３のレバーと連動して前記レール溝に係合する状態と係合しない状態とを取り得る第３の係合部と、を有することを特徴としてもよい。
【００１３】
また、上記のＬＥＤ照明器具において、前記第１のレバー、前記第２のレバー及び前記第３のレバーの各操作側端部は、平面視で前記電源ボックスの外側に位置することを特徴としてもよい。
また、上記のＬＥＤ照明器具において、前記第３のレバーの操作側端部は、前記電源ボックスの前記一方の側面に対向する他方の側面の側に位置することを特徴としてもよい。
【００１４】
また、上記のＬＥＤ照明器具において、前記第３のレバーの操作側端部は、前記電源ボックスの前記一方の側面の側に位置することを特徴としてもよい。
また、上記のＬＥＤ照明器具において、前記第３の取付部を複数備えることを特徴としてもよい。
また、上記のＬＥＤ照明器具において、前記ＬＥＤ照明灯を複数備えることを特徴としてもよい。
【００１５】
また、上記のＬＥＤ照明器具において、前記複数のＬＥＤ照明灯は互いに直列に前記電源回路に接続されていることを特徴としてもよい。
また、上記のＬＥＤ照明器具において、前記複数のＬＥＤ照明灯の各々は連結アームを介して前記電源ボックスに連結されていることを特徴としてもよい。
また、上記のＬＥＤ照明器具において、前記複数のＬＥＤ照明灯のうちの２つ以上のＬＥＤ照明灯は１つの連結アームを介して前記電源ボックスに接続されていることを特徴としてもよい。
【００１６】
また、上記のＬＥＤ照明器具において、前記複数のＬＥＤ照明灯のうちの第１のＬＥＤ照明灯と第２のＬＥＤ照明灯は、色温度が互いに異なることを特徴としてもよい。
また、上記のＬＥＤ照明器具において、前記複数のＬＥＤ照明灯のうちの第１のＬＥＤ照明灯と第２のＬＥＤ照明灯は、配光角が互いに異なることを特徴としてもよい。
また、上記のＬＥＤ照明器具において、前記第１の取付部及び前記第２の取付部の何れか一方のみが、前記配線ダクトレールと電気的に接続する端子を有することを特徴としてもよい。
【００１７】
本発明の別の態様に係るＬＥＤ照明器具は、配線ダクトレールに対する取付面を有し、電源回路を収納する電源ボックスと、前記電源ボックスの長手方向の一端部に設けられ、前記取付面を前記配線ダクトレールに着脱可能に取り付ける第１の取付部と、前記電源ボックスの長手方向の他端部に設けられ、前記取付面を前記配線ダクトレールに着脱可能に取り付ける第２の取付部と、前記電源ボックスに連結され、前記電源回路から電力が供給されるＬＥＤ照明灯とを備え、前記第１の取付部は、前記取付面に直交する軸まわりに所定角度範囲で回転可能な第１のレバーと、前記第１のレバーと連動して前記配線ダクトレールのレール溝に係合する状態と係合しない状態とを取り得る第１の係合部と、を有し、前記第２の取付部は、前記取付面に直交する軸まわりに所定角度範囲で回転可能な第２のレバーと、前記第２のレバーと連動して前記レール溝に係合する状態と係合しない状態とを取り得る第２の係合部と、を有し、前記第１の取付部及び前記第２の取付部の何れか一方のみが、前記配線ダクトレールと電気的に接続する端子を有することを特徴とする。
【発明の効果】
【００１８】
本発明の一態様によれば、配線ダクトレールに対する照明器具の取付状態を容易に確認可能なＬＥＤ照明器具を提供することができる。
【図面の簡単な説明】
【００１９】
【図１】本発明の実施形態に係るＬＥＤ照明器具１００の構成例を示す斜視図である。
【図２】本発明の実施形態に係るＬＥＤ照明器具１００の構成例を示す斜視図である。
【図３】本発明の実施形態に係るＬＥＤ照明器具１００の構成例を示す斜視図である。
【図４】電源ボックス１０、第１の取付部３０及び第２の取付部６０の各構成例を示す平面図である。
【図５】ＬＥＤ照明器具１００の内部の構成例を示す分解斜視図である。
【図６】配線ダクトレール２００の構成例を示す斜視図である。
【図７】第１の取付部３０及び第２の取付部６０の動作例を示す側面図である。
【図８】第１の取付部３０及び第２の取付部６０の動作例を示す側面図である。
【図９】ＬＥＤ照明器具１００を第２の側面１２の斜め下方から見た斜視図である。
【図１０】実施形態の変形例に係るＬＥＤ照明器具１００Ａを第２の側面１２の斜め下方から見た斜視図である。
【発明を実施するための形態】
【００２０】
以下、本発明による実施形態を、図面を用いて説明する。なお、以下に説明する各図において、同一の構成を有する部分には同一の符号を付し、その繰り返しの説明は省略する。
＜構成＞
まず始めに、本発明の実施形態に係るＬＥＤ照明器具１００と、ＬＥＤ照明器具１００が取り付けられる配線ダクトレール２００の各構成について説明する。
【００２１】
図１〜図３は、本発明の実施形態に係るＬＥＤ照明器具１００の構成例を示す斜視図である。詳しくは、図１はＬＥＤ照明器具１００を第１の側面１１の斜め上方から見た斜視図であり、図２はＬＥＤ照明器具１００を第１の側面１１の斜め下方から見た斜視図である。図３はＬＥＤ照明器具１００を第２の側面１２の斜め上方から見た斜視図である。また、図４は、電源ボックス１０、第１の取付部３０及び第２の取付部６０の各構成例を示す平面図である（ＬＥＤ照明灯を省略して示している。）。図５は、ＬＥＤ照明器具１００の内部の構成例を示す分解斜視図である。なお、第１の側面１１及び第２の側面は、電源ボックス１０の長手方向に平行で、且つ、上面（即ち、取付面）１３と直交する面である。
【００２２】
図１〜図４に示すように、ＬＥＤ照明器具１００は、２灯タイプの照明器具であり、電源ボックス１０と、電源ボックス１０の長手方向の一端部に設けられた第１の取付部３０と、電源ボックス１０の長手方向の他端部に設けられた第２の取付部６０と、電源ボックス１０に連結アーム９０を介して連結され、電源回路から電力の供給を受けて発光する２個のＬＥＤ照明灯１１０と、を備える。また、ＬＥＤ照明器具１００は、電源ボックス１０の配線ダクトレールに対する取付面１３に設けられた第３の取付部１３０をさらに備える。次に、各構成部について説明する。
【００２３】
（電源ボックス）
電源ボックス１０は、その内部に電源回路を収納する筐体である。電源ボックス１０は、プラスチック、アルミニウム又はステンレス等の材料からなり、その外観形状は一方向に長く延びた形状（即ち、長手方向を有する形状）である。図１〜図３では、電源ボックス１０の上面が配線ダクトレールに対する取付面１３となっている。電源回路は、例えば、配線ダクトレールから供給される交流電力を直流に変換し、その出力（即ち、直流電力）をＬＥＤ照明灯に供給する。
【００２４】
図１〜図４に示すように、取付面１３には、ラバーパッド１５が設けられている。ラバーパッド１５は、ＬＥＤ照明器具１００を配線ダクトレールに取り付けたときに、取付面１３と配線ダクトレールとに挟まれる緩衝材である。このラバーパッド１５によって、ＬＥＤ照明器具１００の取付面１３側を配線ダクトレールに押圧した状態で取り付けることができ、取付後にＬＥＤ照明器具１００がぐらつく（即ち、ガタガタする）ことを防ぐことができる。また、電源ボックス１０の取付面１３には、ＬＥＤ照明器具１００を配線ダクトレールに取り付ける際のガイドとなる凸部１６が配線ダクトレール１０の長手方向に沿って設けられている。次に、電源ボックス１０の内部構造について説明する。
【００２５】
図５に示すように、電源ボックス１０は、外側ボックス２１と、外側ボックス２１内に配置される内側ボックス２２とを有する。内側ボックス２２は、上面側部材２３、内側ボックス本体２４及び下面側部材２５によってボックス型に形成されている。そして、内側ボックス本体２４内に、電源回路を収納するための空間が確保されている。
また、電源ボックス１０の取付面１３には、第３の取付部１３０を取付面１３と直交する軸まわりに回転可能に取り付けるための挿通孔２６が設けられている。さらに、電源ボックス１０の長手方向の一端部には、第１の取付部３０を固定するためのネジ穴２７が設けられている。電源ボックス１０の長手方向の他端部には、第２の取付部６０を固定するためのネジ穴（図示せず）が設けられている。
【００２６】
（第１の取付部）
図１〜図４に示すように、第１の取付部３０は、電源ボックス１０の長手方向の一端部に設けられ、電源ボックス１０の取付面１３を配線ダクトレールに着脱可能に取り付けるものである。第１の取付部３０は、取付面１３に直交する軸３６まわりに所定角度範囲で回転可能な第１のレバー３１と、第１のレバー３１と連動して配線ダクトレールのレール溝に係合する状態と係合しない状態とを取り得る第１の係合部（第１のレールロック用爪部）３２と、を有する。ここで、所定角度範囲とは、予め設定（設計）した角度範囲のことであり、例えば図４に示す−θ°〜＋θ°の範囲のことである。また、第１の取付部３０は、第１のレバー３１の可動範囲を電源ボックス１０の長手方向に沿う中心軸を挟んで左右に同じ角度範囲に規制する第１の規制部材３３を有する。
【００２７】
第１の係合部３２は、第１のレバー３１を平面視で反時計まわり（以下、単に「反時計まわり」という。）に可動範囲の端部まで動かすと、配線ダクトレールと係合する状態となる。第１の係合部３２が配線ダクトレールと係合する状態になると、第１のレバー３１の操作側端部３１ａは電源ボックス１０の第２の側面１２の側に位置する。また、第１の取付部３０は、配線ダクトレールと電気的に接続する端子３４、３５を有する。端子３４は、Ｌ：ライブ用の端子である。端子３５は、Ｎ：ニュートラル用の端子である。これら端子３４、３５は、第１の取付部３０の先端部近傍に設けられており、第１のレバー３１と連動して、第１の係合部３２と共に軸３６まわりに回転するようになっている。
【００２８】
また、第１の取付部３０の取付面（後述する蓋体４０の上面）には、ＬＥＤ照明器具１００を配線ダクトレールに取り付ける際のガイドとなる段差部３７が設けられている。この段差部３７の長手方向に沿う側面は、電源ボックス１０の凸部１６の長手方向に沿う側面とほぼ面一となっている。
次に、第１の取付部３０の内部構造について説明する。図５に示すように、第１の取付部３０は、第１のレバー３１、第１の係合部３２及び端子３４、３５のほかに、電源ボックス１０の長手方向の一端部に設けられる外ケース３８と、この外ケース３８の内側に配置される内ケース３９と、内ケース３９の上側を覆う蓋体４０と、回転軸４１と、回転軸４１の外周側面を外径方向に拡げる拡幅用ネジ４２と、回転軸４１の蓋体４０からの脱離を防止すると共に、端子３４、３５を互いに離して保持する絶縁性の間隔保持部材４３と、端子３４、３５と電源回路とを電気的に接続する接続端子４４、４５と、接続端子４４、４５を内ケース３９に固定するネジ４６、４７と、蓋体４０を内ケース３９に固定するネジ４８と、外ケース３８を電源ボックス１０に固定するネジ４９と、を有する。
【００２９】
外ケース３８及び蓋体４０には、電源ボックス１０の長手方向に沿う中心軸を挟んで左右に同じ角度範囲でそれぞれ切欠部３８ａ、４０ａが設けられている。これら切欠部３８ａ、４０ａに第１のレバー３１が通される。切欠部３８ａ、４８ａの両側面に第１のレバー３１が接触することにより、第１のレバー３１の回転が止められる。つまり、これら切欠部３８ａ、４８ａを有する外ケース３８及び蓋体４０が、第１のレバー３１の可動範囲を規制する第１の規制部材３３を構成している。
【００３０】
回転軸４１は、その軸心に沿って拡幅用ネジ４２を嵌め合わせるためのネジ穴が設けられている。また、第１の係合部３２は第１のレバー３１に固定されている。回転軸４１は蓋体４０と間隔保持部材４３の各貫通孔（即ち、挿通孔）に挿通され、この状態で回転軸４１のネジ穴に拡幅用ネジ４２が嵌め合わされる。これにより、回転軸４１の外周側面が広がって、回転軸４１に第１のレバー３１と間隔保持部材４３とが固定される。また、第１のレバー３１と間隔保持部材４３とで蓋体４０を挟むことによって、回転軸４１の蓋体４０からの抜け（脱離）を防止することができる。
【００３１】
（第２の取付部）
図１〜図４に示すように、第２の取付部６０は、電源ボックス１０の長手方向の他端部に設けられ、電源ボックス１０の取付面１３を配線ダクトレールに着脱可能に取り付けるものである。第２の取付部６０は、取付面１３に直交する軸６６まわりに所定角度範囲で回転可能な第２のレバー６１と、第２のレバー６１と連動して配線ダクトレールのレール溝に係合する状態と係合しない状態とを取り得る第２の係合部（第２のレールロック用爪部）６２と、を有する。ここで、所定角度範囲とは、予め設定（設計）した角度範囲のことであり、例えば図４に示す−θ°〜＋θ°の範囲のことである。また、第２の取付部６０は、第２のレバー６１の可動範囲を電源ボックス１０の長手方向に沿う中心軸を挟んで左右に同じ角度範囲に規制する第２の規制部材６３を有する。
【００３２】
第２の係合部６２は、第２のレバー６１を平面視で時計まわり（以下、単に「時計まわり」という。）に可動範囲の端部まで動かすと、配線ダクトレールと係合する状態となる。第２の係合部６２が配線ダクトレールと係合する状態になると、第２のレバー６１の操作側端部は電源ボックス１０の第２の側面１２の側に位置する。なお、第２の取付部６０は、第１の取付部３０とは異なり、配線ダクトレールと電気的に接続する端子は有さない。
【００３３】
また、第２の取付部６０の取付面（後述する蓋体７０の上面）には、ＬＥＤ照明器具１００を配線ダクトレールに取り付ける際のガイドとなる段差部６７が設けられている。この段差部６７の長手方向に沿う側面は、電源ボックス１０の凸部１６の長手方向に沿う側面とほぼ面一となっている。
次に、第２の取付部６０の内部構造について説明する。図５に示すように、第２の取付部６０は、第２のレバー６１及び第２の係合部６２のほかに、電源ボックス１０の長手方向の他端部に設けられる外ケース６８と、この外ケース６８の内側に配置される内ケース６９と、内ケース６９の上側を覆う蓋体７０と、回転軸７１と、回転軸７１の外周側面を外径方向に拡げる拡幅用ネジ７２と、回転軸７１の蓋体７０からの脱離を防止する脱離防止部材７３と、蓋体７０を内ケース６９に固定するネジ７８と、外ケース６８を電源ボックス１０に固定するネジ７９と、を有する。
【００３４】
第１の取付部３０と同様、第２の取付部６０においても、外ケース６８の切欠部６８ａ及び蓋体７０の切欠部７０ａに第２のレバー６１が通される。これら切欠部６８ａ、７０ａの両側面に第２のレバー６１が接触することにより、第２のレバー６１の回転が止められる。つまり、これら切欠部６８ａ、７０ａを有する外ケース６８及び蓋体７０が、第２のレバー６１の可動範囲を規制する第２の規制部材６３を構成している。
【００３５】
回転軸７１は、その軸方向の中心部に拡幅用ネジ７２を嵌め合わせるためのネジ穴が設けられている。また、第２の係合部６２は第２のレバー６１に固定されている。回転軸７１は、第２のレバー６１と脱離防止部材７３の各貫通孔（即ち、挿通孔）に挿通され、この状態で回転軸７１のネジ穴に拡幅用ネジ７２が嵌め合わされる。これにより、回転軸７１の外周側面が広がって、回転軸７１に第２のレバー６１と脱離防止部材７３とが固定される。また、第２のレバー６１と脱離防止部材７３とで蓋体７０を挟むことによって、回転軸７１の蓋体７０からの抜け（脱離）を防止することができる。
【００３６】
（第３の取付部）
図１〜図４に示すように、第３の取付部１３０は、電源ボックス１０の取付面１３のうちの、長手方向に沿う一端部と他端部との間に設けられ、該取付面１３を配線ダクトレールに着脱可能に取り付けるものである。ＬＥＤ照明器具１００は、第３の取付部１３０を２個備えている。
【００３７】
第３の取付部１３０は、取付面１３に直交する軸１３６まわりに所定角度範囲で回転可能な第３のレバー１３１と、第３のレバー１３１と連動して配線ダクトレールのレール溝に係合する状態と係合しない状態とを取り得る第３の係合部１３２と、を有する。ここで、所定角度範囲とは、予め設定（設計）した角度範囲のことである。第３のレバー１３１の操作側端部１３１ａは、第３の取付部１３０がロック状態、非ロック状態の何れの状態にあっても、電源ボックス１０の第１の側面１１の側に位置する。
また、図５に示すように、第３の取付部１３０は、第３のレバー１３１を電源ボックス１０に回転可能に取り付けるためのネジ１３５、を有する。
【００３８】
（ＬＥＤ照明灯）
図１〜図４に示すように、ＬＥＤ照明灯１１０は、連結アーム９０を介して電源ボックス１０に連結されている。ＬＥＤ照明器具１００は、ＬＥＤ照明灯１１０を２個備えている。２個のＬＥＤ照明灯１１０は、互いに直列に電源回路に接続されている（直列に限定されるものではなく、並列でもよい。）。２個のＬＥＤ照明灯１１０の色温度は互いに異なっていてもよいし（例えば、一方が昼白色で、他方が電球色）、同じでもよい。また、２個のＬＥＤ照明灯１１０の配光角は互いに異なっていてもよいし、同じでもよい。
【００３９】
図５に示すように、ＬＥＤ照明灯１１０は、ＬＥＤチップ（光源）を搭載したＬＥＤ基板１１１と、ＬＥＤ基板１１１の発光面側に配置されたレンズ１１２と、ＬＥＤ基板１１１の発光面の反対側に配置された冷却用基板１１３と、レンズ１１２とＬＥＤ基板１１１及び冷却用基板１１３を保持する保持部１１４と、バッフル１１５と、レンズ１１２とＬＥＤ基板１１１及び冷却用基板１１３を保持部１１４に固定するネジ１１６と、バッフル１１５を保持部１１４に固定するネジ１１７と、を有する。冷却用基板１１３は、ＬＥＤ基板１１１が発する熱を保持部１１４に逃がして、ＬＥＤ基板１１１を冷却するための基板である。また、保持部１１４は、ヒートシンク１１４ａを有する。ＬＥＤ照明灯１１０の配光角は、レンズ１１２及びバッフル１１５によって調整されている。
【００４０】
（連結アーム）
連結アーム９０は、上側アーム９１と、下側アーム９２とを有する。上側アーム９１の上端部は、例えば図５に示すように、ナット及びワッシャー等の複数の締結部材９９によって外ケース３８、６８の底部に、その軸（即ち、上側アーム９１の長手方向に沿う中心軸）まわりに回転可能に取り付けられている。また、下側アーム９２の下端部は、ネジ９３によって保持部１１４に固定されている。そして、上側アーム９１の下端部と下側アーム９２の上端部は、取付面１３に平行な支持軸９６を支点とするヒンジ構造となっている。これにより、下側アーム９２は支持軸９６まわりに回転可能となっている。このように、連結アーム９０は２軸回転可能な構造となっている。
【００４１】
なお、図１等に示したように、上側アーム９１の上端部には、外周方向に突き出た突起部９７が設けられている。また、電源ボックス１０の下面（即ち、取付面の反対側の面）には、上側アーム９１の軸回りの回転を規制するための突起部１７が設けられている。両突起部１７、９７が接触することにより、上側アーム９１の軸まわりの回転が３６０°を超えない（即ち、無制限に回転しない）ように規制される。
【００４２】
（配線ダクトレール）
図６は、配線ダクトレール２００の構成例を示す斜視図である。配線ダクトレール２００は少なくとも一つ以上の照明器具をレール上の任意の場所に取付可能な、長手方向に細長く延びた形状の照明器具用レールである。配線ダクトレール２００は、その取付面２０１が部屋の天井面等に取り付けられる。また、配線ダクトレール２００のうち取付面１３に対向する面（下面）２０２側には、長手方向に沿って細長く開口する溝部２１１と、溝部の両側に配置された縁部（即ち、被係合部）２１３とを備える。
【００４３】
この被係合部２１３に、第１の取付部３０が有する第１の係合部３２と、第２の取付部６０が有する第２の係合部６２と、第３の取付部１３０が有する第３の係合部１３２がそれぞれ係合される。また、配線ダクトレール２００内には、配線ダクトレール２００の長手方向に沿って、導電部２２４、２２５が設けられる。導電部２２４は、Ｌ：ライブ用の端子である。導電部２２５は、Ｎ：ニュートラル用の端子である。これら導電部２２４、２２５に配線ダクトレール２００の各端子３４、３５が接触することにより、該端子３４、３５を介して電源回路に電力が供給される。また、配線ダクトレール２００には、電源ボックス１０の凸部１６の側面や、第１の取付部３０の段差部３７の側面、第２の取付部６０の段差部６７の側面にそれぞれ当接する凸部２２８が設けられている。この凸部２２８は、Ｎ：ニュートラル側に設けられている。
【００４４】
＜動作＞
次に、配線ダクトレール２００に対するＬＥＤ照明器具１００の着脱動作について説明する。図７及び図８は、配線ダクトレール２００にＬＥＤ照明器具１００を取付ける際の、第１の取付部３０及び第２の取付部６０の動作例を示す側面図である。詳しくは、図７（ａ）及び図８（ａ）は第１の係合部３２の動作を示し、図７（ｂ）及び図８（ｂ）は第２の係合部６２の動作を示す。
【００４５】
まず、ユーザーは、ＬＥＤ照明器具１００を配線ダクトレール２００の下方において、ＬＥＤ照明器具１００の長手方向を配線ダクトレール２００の長手方向に合わせる。そして、この状態でＬＥＤ照明器具１００を上方に移動させる。これにより、図７（ａ）及び（ｂ）に示すように、配線ダクトレール２００の溝部２１１内に、第１の取付部３０の回転軸４１と、第２の取付部６０の回転軸７１とが挿入される。また、図示しないが、第３の取付部１３０の回転軸も、配線ダクトレール２００の溝部２１１内に挿入される。
【００４６】
なお、ここでは、電源ボックス１０の取付面１３に設けられている凸部１６の側面と、第１の取付部３０の段差部３７の側面及び第２の取付部６０の段差部６７の側面とを配線ダクトレール２００の凸部２２８の側面に接触させる。これにより、凸部１６及び段差部３７、６７と凸部２２８とがガイドとして機能し、第１の取付部３０、第２の取付部６０及び第３の取付部１３０の各回転軸を配線ダクトレール２００の溝部２１１内に容易に挿入することができる。
【００４７】
次に、ユーザーは第１のレバーを反時計まわりに回す。これにより、回転軸４１は第１のレバーに連動して反時計まわりに回り、図８（ａ）に示すように、第１の係合部３２が配線ダクトレール２００の被係合部２１３に係合される。このように第１の係合部３２が被係合部２１３に係合されることにより、第１の取付部３０はロック状態となる。また、第１の取付部３０がロック状態になると同時に、端子３４、３５が配線ダクトレール２００の導電部２２４、２２５にそれぞれ接触し、電源ボックス１０内の電源回路への給電が可能な給電状態となる。
【００４８】
また、ユーザーは、第１の取付部３０の取付動作と前後して、或いは並行して、第２のレバーを時計まわりに回す。これにより、回転軸７１は第２のレバー６１に連動して時計まわりに回り、図８（ｂ）に示すように、第２の係合部６２が配線ダクトレール２００の被係合部２１３に係合される。このように第２の係合部６２が被係合部２１３に係合されることにより、第２の取付部６０はロック状態となる。
【００４９】
図示しないが、第３の取付部１３０の取付け動作も同様である。第３のレバー１３１を反時計まわりに回す。これにより、第３の係合部が配線ダクトレール２００の被係合部２１３に係合され、第３の取付部１３０はロック状態となる。このように、第１の取付部３０、第２の取付部６０及び第３の取付部１３０を全てロック状態にすることにより、ＬＥＤ照明器具１００を配線ダクトレール２００に対してスライドしないように、且つ配線ダクトレール２００から脱落しないように、配線ダクトレール２００に十分に固定することができる。
【００５０】
次に、ＬＥＤ照明器具１００の配線ダクトレール２００に対する取外し動作について説明する。取外し動作は、上述した取付け動作の反対である。即ち、ユーザーは第１の取付部３０及び第２の取付部６０を取り外す。例えば、第１のレバーを時計まわりに回す。これにより、回転軸４１は第１のレバーに連動して時計まわりに回り、第１の係合部３２は配線ダクトレール２００の被係合部２１３から外れて、第１の取付部３０は非ロック状態となる。また、第１の取付部３０が非ロック状態になると同時に、端子３４、３５も配線ダクトレール２００の導電部２２４、２２５との接触が解除され、電源ボックス１０内の電源回路への給電が行われない非給電状態となる。
【００５１】
また、ユーザーは、第１の取付部３０に対する上記操作と前後して、或いは並行して、第２のレバー６１を反時計まわりに回す。これにより、回転軸７１は第２のレバーに連動して反時計まわりに回り、第２の係合部６２は配線ダクトレール２００の被係合部２１３から外れて、第２の取付部６０は非ロック状態となる。
第３の取付部１３０の取り外し動作も同様である。第３のレバー１３１を時計まわりに回すことにより、第３の係合部が配線ダクトレール２００の被係合部２１３から外れて、第３の取付部１３０は非ロック状態となる。
【００５２】
第１の取付部３０、第２の取付部６０及び第３の取付部１３０を全て非ロック状態とした後、ユーザーは、ＬＥＤ照明器具１００を掴んだまま取外し方向（即ち、下方）へ移動させる。これにより、ＬＥＤ照明器具１００を配線ダクトレール２００から取り外すことができる。
この実施形態では、第１の側面１１が本発明の「他方の側面」に対応し、第２の側面１２が本発明の「一方の側面」に対応している。なお、第１の側面１１、第２の側面１２と、本発明の「一方の側面」、「他方の側面」との対応関係はこれに限定されるものではない。即ち、第１の側面１１が本発明の「一方の側面」に対応し、第２の側面１２が本発明の「他方の側面」に対応してもよい。
【００５３】
＜実施形態の効果＞
本発明の実施形態は、以下の効果を奏する。
（１）第１のレバー３１の操作側端部３１ａ及び第２のレバー６１の操作側端部６１ａがそれぞれ、電源ボックス１０の長手方向に沿う中心軸よりも一方の側面の側に位置するか否かを確認することで、電源ボックス１０の配線ダクトレール２００に対する取付状態を判断することができる。
【００５４】
図９は、ＬＥＤ照明器具１００を第２の側面１２の斜め下方から見た斜視図である。例えば、ＬＥＤ照明器具１００を配線ダクトレール２００に取り付け、ユーザーが脚立等の足場から降りた後で、ＬＥＤ照明器具１００の取付状態を下から確認する場合を想定する。このとき、図９に示すように、第１のレバー３１の操作側端部３１ａ及び第２のレバー６１の操作側端部６１ａが電源ボックス１０の第２の側面１２の側にそれぞれ位置する場合は、ユーザーは第１のレバー３１及び第２のレバー６１の両方ともロック状態にあると判断することができる。また、第１のレバー３１の操作側端部３１ａ及び第２のレバー６１の操作側端部６１ａがそれぞれ異なる側面の側に位置する場合は、第１のレバー３１及び第２のレバー６１の少なくとも一方が非ロック状態にあると判断することができる。これにより、ＬＥＤ照明器具１００の取付状態を容易に確認することができる。
【００５５】
この点について、比較例を挙げてより具体的に説明する。
第１の比較例として、第１のレバーの操作側端部が一方の側面の側にあり、第２のレバーの操作側端部が他方の側面の側にあるときに、両レバーがロック状態にある場合を想定する。この場合でも、電源ボックスの下方から両レバーのロック状態を確認することができるが、各レバーのロック位置は同一側面の側に揃わないため、ロック状態を直感的に把握することは難しい。
【００５６】
また、第２の比較例として、第１のレバーの操作側端部が電源ボックスの長手方向の一端部からさらに長手方向に沿って外側に突き出し、第２のレバーの操作側端部が電源ボックスの長手方向の他端部からさらに長手方向に沿って外側に突き出しているときに、両レバーがロック状態にある場合を想定する。この場合でも、電源ボックスの下方から両レバーのロック状態を確認することができるが、各レバーのロック位置はＬＥＤ照明灯で遮られるため、各レバーの長さを長くするなどの工夫が必要である。レバーを長くすると、ＬＥＤ照明器具の意匠性が損なわれてしまう可能性がある。
【００５７】
これに対し、本実施形態では、第１のレバー３１のロック位置及び第２のレバー６１のロック位置は、同一側面の側に揃うため、ロック状態を直感的に把握し易い。また、第１のレバー３１及び第２のレバー６１がロック状態にあるときに、各レバー３１、６１の操作側端部３０ａ、６０ａは第２の側面１２の側に位置し、且つ、これら操作側端部３０ａ、６０ａは平面視で電源ボックス１０の外側に位置する（例えば、図４参照。）。このため、各レバー３１、６１の長さを長くしなくても、ロック状態にあるときの操作側端部３０ａ、６０ａの視認性を確保することができる。
【００５８】
このように、本実施形態では、第１のレバー３１及び第２のレバー６１のロック状態を直感的に把握し易く、しかも、その操作側端部３１ａ、６１ａの視認性を確保できるため、ＬＥＤ照明器具１００の取付状態を容易に確認することができる。また、各レバー３１、６１を第２の比較例よりも短く（小さく）できるため、ＬＥＤ照明器具１００の意匠性が損なわれることを回避することができる。
【００５９】
（２）また、ＬＥＤ照明器具１００の取付状態を容易に確認できることから、第１のレバー３１及び第２のレバー６１がそれぞれロック状態にあるときのロック位置、非ロック状態にあるときの非ロック位置を、小さな目立たない表示とすることができる。例えば、ｌｏｃｋ，ｕｎｌｏｃｋなどのワードを記したり、ロック位置を示すシールを貼付したり、ロック位置を示す色付けを行う場合でも、それらを小さな目立たない表示とすることができる。これにより、電源ボックス１０等の意匠性が損なわれることを回避することができる。
【００６０】
（３）また、ロック状態だけでなく、非ロック状態でも、第１のレバー３１の操作側端部３１ａ、第２のレバー６１の操作側端部６１ａ及び第３のレバー１３１の操作側端部１３１ａは全て、平面視で電源ボックス１０の外側に位置する。これにより、ＬＥＤ照明器具１００を下から見上げたときの、各操作側端部３１ａ、６１ａ、１３１ａの視認性をロック状態に関係なく確保することができ、ＬＥＤ照明器具１００の取付状態をさらに容易に確認することができる。
【００６１】
（４）また、第１の取付部３０及び第２の取付部６０のうち、第１の取付部３０のみが端子３４、３５を有する。第２の取付部６０は端子を有さない。即ち、電源ボックス１０の長手方向に沿う両端部のうち、何れか一方の端部側にのみ端子３４、３５が配置されている。このため、ユーザーが端子３４、３５に触れて感電する可能性を低減することができる。この点について、例を挙げてより具体的に説明する。
【００６２】
比較例として、第１の取付部がライブ用の端子を有し、第２の取付部がニュートラル用の端子を有するＬＥＤ照明器具を想定する。そして、このＬＥＤ照明器具が配線ダクトレールに取り付けられている場合を想定する。この想定下で、ＬＥＤ照明器具の第２の取付部が、何らかの理由（例えば、樹脂等の経年劣化）により配線ダクトレールのレール溝から外れた場合でも、第１の取付部が配線ダクトレールのレール溝から外れない限り、ＬＥＤ照明器具は配線ダクトレールから脱落しない。但し、電源ボックスの長手方向の他端部はレール溝から外れているため、ＬＥＤ照明器具は第１の取付部を支点に斜めに傾いて、第２の取付部と配線ダクトレールとの間に隙間が生じる可能性がある。ＬＥＤ照明器具を配線ダクトレールから取り外す際に、この隙間にユーザーが誤って指等を差し込んでしまうと、配線ダクトレール→ライブ端子→（ＬＥＤ照明灯）→ニュートラル端子→ユーザーの経路で電流が流れて、ユーザーが感電してしまう可能性がある。
【００６３】
これに対して、本実施形態では、第２の取付部６０は端子３４、３５を有さないため、第２の取付部６０と配線ダクトレール２００との間に指等を差し込んでも、端子３４、３５を介して感電することはない。また、第２の取付部６０ではなく、第１の取付部３０が配線ダクトレール２００の溝部２１１から外れて第１の取付部３０と配線ダクトレール２００との間に隙間が生じることも考えられるが、この隙間に指等を差し込んでも、端子３４、３５は既に配線ダクトレール２００の導電部２２４、２２５から離れているので、端子３４、３５を介してユーザーが感電することもない。このように、本実施形態では、ユーザーの感電を防止することができる。
【００６４】
＜変形例＞
（１）上記の実施形態では、ＬＥＤ照明器具１００が第３の取付部１３０を２個備える場合について説明した。しかしながら、本発明において、ＬＥＤ照明器具１００が備える第３の取付部１３０の個数は１個でもいいし、３個以上の複数でもよいし、０個でもよい。電源ボックス１０の長手方向の長さや、ＬＥＤ照明器具１００全体の重さ等に応じて、第３の取付部１３０の個数を任意に設定してよい。このような場合であっても、上記した実施形態の効果（１）〜（４）と同様の効果を奏する。
【００６５】
（２）また、上記の実施形態では、ＬＥＤ照明器具１００がＬＥＤ照明灯１１０を２個備える場合について説明した。しかしながら、本発明において、ＬＥＤ照明器具１００が備えるＬＥＤ照明灯１１０の個数は１個でもいいし、３個以上の複数でもよい。ＬＥＤ照明器具１００が複数のＬＥＤ照明灯１１０を有する場合は、複数のＬＥＤ照明灯１１０の各々がそれぞれ別々の連結アーム９０を介して電源ボックス１０に連結されていてもよいし、複数のＬＥＤ照明灯１１０が一本の連結アーム９０を介して（即ち、共通の連結アームを介して）電源ボックス１０に連結されていてもよい。
【００６６】
また、この場合においても、複数のＬＥＤ照明灯１１０の色温度は互いに異なっていても良いし、同じでもよい。複数のＬＥＤ照明灯１１０の配光角は互いに異なっていてもよいし、同じでもよい。何れの場合も、上記した実施形態の効果（１）〜（４）と同様の効果を奏する。
なお、ＬＥＤ照明器具１００が複数のＬＥＤ照明灯１１０を備える場合は、複数のＬＥＤ照明灯１１０を互いに直列に電源回路に接続することにより、各ＬＥＤ照明灯１１０に定電流を流すことができる。
【００６７】
（３）また、上記の実施形態では、第３のレバー１３１の操作側端部１３１ａが第１の側面１１の側に位置する場合について説明した。しかしながら、本発明において、第３のレバー１３１の操作側端部１３１ａの位置はこれに限定されるものではない。本発明において、第３のレバー１３１の操作側端部１３１ａは全て第２の側面１２の側に位置していてもよい。このような変形例を図１０に示す。
【００６８】
図１０は、本発明の実施形態の変形例に係るＬＥＤ照明器具１００Ａを第２の側面１２の斜め下方から見た斜視図である。この照明器具１００Ａにおいて、図１〜図９を用いて説明したＬＥＤ照明器具１００と異なる点は、第３のレバー１３１の操作側端部１３１ａの位置だけである。それ以外の構成について、照明器具１００Ａは照明器具１００と同じである。
【００６９】
図１０に示すように、このＬＥＤ照明器具１００Ａでは、第３のレバー１３１の操作側端部１３１ａは全て、第２の側面１２の側に位置する。このような構成であっても、上記した実施形態の効果（１）〜（４）と同様の効果を奏する。
また、本変形例では、第１のレバー３１及び第２のレバー６１の各ロック位置を第３のレバー１３１の操作側端部１３１ａを目印に、より容易に判断することが可能となる。即ち、第１のレバー３１の操作側端部３１ａと第２のレバー６１の操作側端部６１ａが、第３のレバー１３１の操作側端部１３１ａと同じ側面（つまり、第２の側面１２）の側に位置する場合に、第１のレバー３１及び第２のレバー６１はロック状態にあると判断することができる。各操作側端部３１ａ、６１ａ、１３１ａが全て同一側面の側に位置するか否かでロック状態を判断できるので、配線ダクトレールに対するＬＥＤ照明器具の取付状態をより容易に確認することが可能となる。
【００７０】
（４）また、上記の実施形態では、第１の取付部３０の取付面（即ち、蓋体４０の上面）に、ＬＥＤ照明器具１００を配線ダクトレールに取り付ける際のガイドとなる段差部３７が設けられている場合について説明した。例えば、図４では、蓋体４０の段差部３７は第２の側面１２の側にのみ設けられている場合を示した。しかしながら、本発明において、上記の段差部３７は、蓋体４０の上面であって、第１の側面１１の側と第２の側面１２の側とにそれぞれ設けられていてもよい。即ち、図４において、段差部３７は長手方向に沿う中心軸を挟んで上下対称となるように、中心軸を挟んで両側設けられていてもよい。これにより、蓋体４０は、第２の取付部６０の蓋体７０としても使用することができ、部品を共通化できるので、コスト低減に寄与することが可能である。
【００７１】
（５）また、上記の実施形態では、第１の係合部３２及び端子３４、３５の軸回りの回転動作、第２の係合部６２の軸回りの回転動作、第３の係合部１３２の軸回りの回転動作、及び、連結アーム９０の２軸回転動作について、ユーザーがそれぞれ第１、第２及び第３のレバー３１、６１、１３１や連結アーム９０を手で回すなど、手動で行う場合を前提に説明した。しかしながら、本発明において、これらの回転動作は必ずしも手動で行う必要はない。これらの回転動作は、モータ等による電動でおこなってもよい。また、モータのオン、オフを、リモートコントローラ（即ち、リモコン）を用いて行ってもよい。
【００７２】
また、ＬＥＤ照明灯１１０の照明光のオン、オフも、リモコンを用いて行ってよい。さらに、照明光がオンの場合は、その光量、色温度、配光角の各調整も、リモコンを用いて行ってよい。以上のようにリモコンを用いる場合は、リモコンから送信される制御信号を受信するための受信部をＬＥＤ照明器具１００に設けておく。このような構成でも、上記した実施形態の効果（１）〜（４）と同様の効果を奏する。
【００７３】
＜その他＞
本発明は、以上に記載した実施形態や変形例に限定されるものではない。当業者の知識に基づいて実施形態や変形例に設計の変更等を加えてもよく、また、変形例を任意に組み合わせてもよく、そのような変更が加えられた態様も本発明の範囲に含まれる。
【符号の説明】
【００７４】
１０  電源ボックス
１１  第１の側面（他方の側面）
１２  第２の側面（一方の側面）
１３、２０１  取付面
１５  ラバーパッド
１６、２２８  凸部
１７、９７  突起部
２１  外側ボックス
２２  内側ボックス
２３  上面側部材
２４  内側ボックス本体
２５  下面側部材
２６  挿通孔
２７  ネジ穴
３０  第１の取付部
３１  第１のレバー
３１ａ  第１のレバーの操作側端部
３２  第１の係合部
３３  第１の規制部材
３４  端子（Ｌ：ライブ）
３５  端子（Ｎ：ニュートラル）
３６、６６、１３６  軸
３７、６７  段差部
３８、６８  外ケース
３８ａ 、４０ａ、６８ａ、７０ａ  切欠部
３９、６９  内ケース
４０、７０  蓋体
４１、７１  回転軸
４２、７２  拡幅用ネジ
４３  間隔保持部材
４４  接続端子
４６、４８、４９、７８、７９、９３、１１６、１１７、１３５  ネジ
６０  第２の取付部
６１  第２のレバー
６１ａ  第２のレバーの操作側端部
６２  第２の係合部
６３  第２の規制部材
７３  脱離防止部材
９０  連結アーム
９１  上側アーム
９２  下側アーム
９６  支持軸
９９  締結部材
１００、１００Ａ  ＬＥＤ照明器具
１１０  ＬＥＤ照明灯
１１１  ＬＥＤ基板
１１２  レンズ
１１３  冷却用基板
１１４  保持部
１１４ａ  ヒートシンク
１１５  バッフル
１３０  第３の取付部
１３１  第３のレバー
１３１ａ  第３のレバーの操作側端部
１３２  第３の係合部
２００  配線ダクトレール
２１１  溝部
２１３  被係合部
２２４  導電部（Ｌ：ライブ）
２２５  導電部（Ｎ：ニュートラル）
【要約】
【課題】配線ダクトレールに対する照明器具の取付状態を容易に確認できるようにしたＬＥＤ照明器具を提供する。
【解決手段】電源ボックス１０の長手方向の一端部に設けられる第１の取付部３０は、電源ボックス１０の取付面１３に直交する軸まわりに所定角度範囲で回転可能な第１のレバー３１と、第１のレバー３１と連動して配線ダクトレールのレール溝に係合する状態と係合しない状態とを取り得る第１の係合部３２と、を有する。電源ボックス１０の長手方向の他端部に設けられる第２の取付部６０は、取付面１３に直交する軸まわりに所定角度範囲で回転可能な第２のレバー６１と、第２のレバー６１と連動してレール溝に係合する状態と係合しない状態とを取り得る第２の係合部６２と、を有する。第１、第２の係合部３２、６２がそれぞれ係合する状態になると、第１、第２のレバー３２、６２の各操作側端部は電源ボックス１０の第２の側面１２の側に位置する。
【選択図】図１【図１】
0005571841.tif 000002
【図２】
0005571841.tif 000003
【図３】
0005571841.tif 000004
【図４】
0005571841.tif 000005
【図５】
0005571841.tif 000006
【図６】
0005571841.tif 000007
【図７】
0005571841.tif 000008
【図８】
0005571841.tif 000009
【図９】
0005571841.tif 000010
【図１０】
0005571841.tif 000011